(57)【特許請求の範囲】
【請求項１】
底面を長方形の網（２）とし、この網（２）の一方の長辺から前方方向に水平に伸びているか又は、前方斜め下方に伸びているか又は、前方斜め下方に伸びており且その先端に水平部を有する掬い板（７）を取り付け、網（２）の他の三辺に側板（４、４）と長側板（６）を設け、後方に延長された両側板（４、４）の間に回転自在にして軸支させた均しローラー（３）、或いは均しブラシローラー（１３）を備えた濾し具（１）において、掬い板（７）の前方まで伸びている両支持板（９，９）の後方瑞部を、両側板（４、４）の前方瑞部に取り付け、両支持板（９，９）の前方瑞部に２個の車輪（１８、１８）を回転自在にして設けたことを特徴とするグランド整備具。
【請求項２】
上記濾し具（１）において、両側板（４、４）の前方瑞部に、掬い板（７）の前方まで伸びている両支持板（９，９）の後方瑞部を取り付け、この両支持板（９，９）の前方瑞部の間に、回転自在にして軸支させたブラシローラー（５）、或いは均しローラー（３）を配設したことを特徴とする請求項１記載のグランド整備具。
【請求項３】
平行にした２枚の固定板（１４、１４）の間に、複数の均しローラー（３）又は、均しブラシローラー（１３）を回転自在に軸支させ、ローラーとローラーの間隙の少なくとも一つの間隙にローラーと平行に削り具（１５）を設けたことを特徴とするグランド整備具。
【請求項４】
底面を長方形の網（２）とし、この網（２）の一方の長辺から前方斜め下方に伸びているか又は、前方斜め下方に伸びており且その先端に水平部を有する掬い棒（１６）を、隣の掬い棒（１６）と所定の間隔を開けて多数本配置させた掬い具（１７）を取り付け、網（２）の他の三辺に側板（４、４）と長側板（６）を設け、掬い具（１７）まで伸びている両支持板（９，９）の後方瑞部を両側板（４、４）の前方瑞部に取り付け、両側板（４，４）の後方瑞部に２個の車輪（１８、１８、）と、両支持板（９，９）の前方瑞部に２個の車輪（２４，２４）を回転自在にして軸支させたことを特徴とするグランド整備具。
【請求項５】
細長い均し具（３２）の長手方向中央部に握り棒（２０）の先端を取り付け、この均し具（３２）の両端に握り棒（２０）と平行にして、外側上端部に突起状ストッパー（３０）を取り付けた固定側板（３１，３１）を設け、この両固定側板（３１，３１）と平行にして設けた２枚の固定板（１４，１４）の一方瑞部の間に、上記固定側板（３１、３１）を介して均し具（３２）を回動可能にして軸支させ、上記２枚の固定板（１４，１４）の他方端部の間に、均しローラー（３）を回転自在にして軸支させたことを特徴とするグランド整備具。
【請求項６】
長方形の天板（２８）の下面にはブラシ（２７）、上面にはブラシ（２７）か均し具（３２）又は、溝付き掬い具（３３）の何れか一つ又は二つを取り付け、上記天板（２８）の両側面又は側面に取り付けた両側板（４，４）に、固定板（１４，１４）の一方端部を回動可能にして設け、その固定板（１４，１４）の他方端部の間に、均しローラー（３）を回転自在にして軸支させたことを特徴とするグランド整備具。
【発明の詳細な説明】
【０００１】
【発明の属する技術分野】
本発明は、グランドなど荒れた地面上を圧し均したり、土、砂の中にある小石を濾しながら地面を綺麗に掃除して整備する方法に関するものである。
【０００２】
【従来の技術】
従来より、広いグランド、テニスコート等の地面を整備する方法としては、コートブラシ、グランドレーキ（砂ならし）などで地面上を擦らしながら引っ張って均す方法が取られている。これは荒れた地面を均したり盛り上がった土、砂を窪んだ場所に移し平坦にするだけの作業であり、グランドに自然に点在する小石、ゴミ、枯葉などは人の手作業で拾い集めなければならない。このような整備作業の後に競技が行われている。
【０００３】
特公昭５５−１１９８１０（校庭及びグランドなどにおける小石の採取機）公報では、掘り起こし機で地面を浅く掘り起こし、ローラーで地面の石や危険物をバケットに採取し、バケットで選別された砂などを均等に地面に落下させ地面の表面を整地しながら進む小石の採取機械が提案されている。
【０００４】
また、出願人は先に特願２００１−２４８６５８号で、前部に取り付けたブラシローラーの回転力を利用して土、砂、小石、ゴミを網上に跳ね上げ、その網上で濾されて落ちた土、砂を後部に取り付けたグランドレーキと同じ機能のある均し板を、擦らしながら引っ張ることによって均す方法を提案している。
【０００５】
【発明が解決しょうとする課題】
競技を始める前に必ず荒れた地面の整備作業をする必要がある。それは広範囲のグランド上には自然に小石、ゴミ、枯葉など、土、砂以外のものが混じり込んでいるので、野球の場合これらのものによって競技中にボールの方向を変えて、このボールが競技者の顔や身体等に当たって怪我を引き起こしたり、転けた時に怪我をしたり競技中の選手に大きく影響する場合がある。
【０００６】
地面を平坦にするために人はコートブラシ・グランドレーキをもって広範囲のグランドを歩き回らなければならないので、時間の掛かる作業である。コートブラシは細長い木の下面に植え込んだブラシで地面を撫でるようにして均すだけのものである。また、グランドレーキも木・鉄・アルミなどで作られた長方形の厚板をある角度で引っ張ることによって地面上を掻いて均すだけものであり、何も取り除くことが出来ないもので、地面を圧し均すことも出来ないものである。スポーツの種類やその日の天候やグランドの所在地によって、グランド面の状態は様々な固さをしていたり荒れ方をしたり汚れ方をしているので、現在使用されている整備具では対処されていない。そのような様々な状態に合わせて対処することの出来る機能を備えた整備具が必要である。
【０００７】
また、校庭及びグランドなどにおける小石の採収機械は、地面を掘り起こしてローラーで採収したものをバケットより地面に落下させるだけのものであるから、砂は地面に撒かれるだけで全く均一に均されるものではない。
【０００８】
さらに、出願人の先の特願２００１−２４８６５８号の提案では、グランドの土、砂が乾燥した状態で使用した場合は早く濾されて均すことが出来るが、水分を十分含んで荒れたグランドで使用した場合は、網上に土、砂、小石などが濾されずに残り、均し板に加わる重量によって抵抗が大きくなり、擦らしながら引っ張るには重くなり過ぎる問題点がある。
【０００９】
本発明は、上述の点に鑑みて、様々なグランド状態に対応して、スピードを上げて引っ張りながらグランド均しと掃除と砂粒を一定の大きさに調整することを、比較的小さな力で同時に効率よく出来るようにすることを課題としたものである。
【００１０】
【課題を解決するための手段】
そこで、本発明の請求項１記載のグランド整備具（以下、本発明１と言う）は、底面を長方形の網２とし、この網２の一方の長辺から水平に伸びているか又は、前方斜めに伸びているか又は、斜め下方に伸びており且その先端に水平部を有する掬い板７を取り付け、他の三辺に側板４、４と長側板６を設け、後方に延長された両側板４、４の間に回転自在にして軸支させた均しローラー３、或いは均しブラシローラー１３を備えた濾し具において、掬い板７の前方まで伸びている両支持板９，９の後方瑞部を、両側板４、４の前方瑞部に取り付け、両支持板９，９の前方瑞部に２個の車輪１８、１８を回転自在にして設けたことを特徴としている。
【００１１】
かかる構成により、本発明１を引っ張った場合は、前方に設けた両車輪１８、１８によって一定の高さの地面上を掬い板７で削り、掬い板７上に集積した土、砂、小石、ゴミなどは網２上に押し上げられ、本発明１を引っ張って移動する時の振動を利用して小石・ゴミなどは、網２上で振り分けられた後、濾されて落ちた土、砂は後部の均しローラー３、或いは均しブラシローラー１３によってグランド面を綺麗に圧し均す事が出来るものである。
【００１２】
請求項２記載のグランド整備具（以下、本発明２と言う）は、上記濾し具１において、両側板４、４の前方瑞部に、掬い板（７）の前方まで伸びている両支持板９，９の後方瑞部を取り付け、この両支持板９，９の前方瑞部の間に、回転自在にして軸支させたブラシローラー５、或いは均しローラー３を配設したことを特徴としている。
【００１３】
かかる構成により、本発明２を引っ張ることによって前後のローラーは同時に回転し、その間に設けた掬い板７で一定の高さの地面上を削り、掬い板７の上や前に集積した土、砂、小石、ゴミなどは前部のブラシローラー５の回転力を利用して効率よく網２上に跳ね上げられる。また、別の均しローラー３の場合は、掬い板７で削る前に回転して地面を圧し均すので、地面を一定の深さに削り易くすることが出来る。そして本発明２を引っ張って移動する時の振動を利用して小石・ゴミなどは、網２上で振り分けられ濾されて落ちた土、砂を後部に設けた均しローラー３、或いは、均しブラシローラー１３によってグランド面を綺麗に圧し均らすことが出来るものである。
【００１４】
請求項３記載のグランド整備具（以下、本発明３と言う）は、平行にした２枚の固定板１４、１４の間に、複数の均しローラー３又は、均しブラシローラー１３を回転自在に軸支させ、少なくとも一つの間にローラーと平行に削り具１５を設けたことを特徴としている。
【００１５】
かかる構成により、本発明３の削り具１５を地面に接しない位置に固定して使用した場合、前後の２個のローラーの回転で地面上を圧し固めて均すことが出来る。また、削り具５のアングルの先端部２５を地面に接するように固定した場合、ローラーの間に設けた削り具１５は、地面の余分な土、砂を平らに削り柔らかくしながら前後の２個のローラーによって窪みを埋めながら圧し固めて均すことが出来るものである。
【００１６】
請求項４記載のグランド整備具（以下、本発明４と言う）は、底面を長方形の網２とし、この網２の一方の長辺から前方斜めに伸びているか又は、斜め下方に伸びており且その先端に水平部を有する掬い板７を取り付け、他の三辺に側板４、４と長側板６を設け、掬い具１７まで伸びている両支持板９，９の後方瑞部を両側板４、４の前方瑞部に取り付け、両側板４，４の後方瑞部に２個の車輪１８、１８と、両支持板９，９の前方瑞部に２個の車輪２４，２４を回転自在にして軸支させたことを特徴としている。
【００１７】
かかる構成により、この本発明４をグランドや芝生上で引っ張って使用した場合は、掬い具１７に多数本配置させた掬い棒１６の先端は、地面、芝生などの中を潜って止められることなく前進することが出来るので、枯葉、小枝、ゴミ、小石や地面に半分埋もれている小石などを掬い集めることが出来るものである。
【００１８】
請求項５記載のグランド整備具（以下、本発明５と言う）は、細長い均し具３２の長手方向中央部に握り棒２０の先端を取り付け、均し具３２の両端に握り棒２０と平行にして、外側上端部に突起状ストッパー３０を取り付けた固定側板３１，３１を設け、この両固定側板３１，３１と平行にして設けた２枚の固定板１４，１４の一方瑞部の間に、上記固定側板３１、３１を介して均し具３２を回動可能にして軸支させ、上記２枚の固定板１４，１４の他方端部の間に、均しローラー３を回転自在にして軸支させたことを特徴とするグランド整備具。
【００１９】
かかる構成により、本発明５の握り棒２０を持ち地面上を擦らしながら前後動させたり、引っ張って地面を削りながら歩き廻って均していく場合、その作業中の上下動や振動に影響されずに均しローラー３は、均し具３２に連動して回転しながら地面上を圧し均すことが出来る。また、両固定側板３１、３１に取り付けた両突起状ストッパー３０、３０で両固定板１４、１４を止めることによって均しローラー３だけで均すことも、均し具３２を重くして均すことも出来るものである。
【００２０】
請求項６記載のグランド整備具（以下、本発明６と言う）は、長方形の天板２８の下面にはブラシ２７、上面にはブラシ２７か均し具３２又は、溝付き掬い具３３の何れか一つ又は二つを取り付け、上記天板２８の両側面又は側面に取り付けた両側板４，４に、固定板１４，１４の一方端部を回動可能にして設け、その固定板１４，１４の他方端部の間に、均しローラー３を回転自在にして軸支させたことを特徴としている。
【００２１】
かかる構成により、この本発明６に握り棒２０或いは、紐用穴３４に紐を取り付けてブラシ２７を下側にして地面上を引き摺る場合に、長方形のブラシ２７は地面を掃きながら均していくので、掃かれた土、砂によって窪みを埋めていくことが出来る。そして平坦になった地面をブラシ２７の振動や動きに影響されずに、均しローラー３によって地面上を更に綺麗に圧し均すことが出来る。そして下面にブラシ２７を取り付けた長方形の天板２８の上下を反転させて使用した場合は、均し具３２で地面を均し、溝付き掬い具３３で小石、ゴミなどを掬うことが出来るものである。
【００２２】
【発明の実施の形態】
実施の形態の一例として、図１は本発明１の斜視図を、図２は本発明１の他の例の斜視図を示している。底面を長方形の網２とし、この網２の一方の長辺から水平に伸びているか又は、前方斜めに伸びているか又は、斜め下方に伸びており且その先端に水平部を有する掬い板７を取り付け、他の三辺に側板４、４と長側板６を設け、後方に延長された両側板４、４の間に回転自在にして軸支させた均しローラー３、或いは均しブラシローラー１３を備えた濾し具１において、掬い板７の前方まで伸びている両支持板９，９の後方瑞部を、両側板４、４の前方瑞部に取り付け、両支持板９，９の前方瑞部に２個の車輪１８、１８を回転自在にして設けたことで構成されている。
【００２３】
この本発明１を引っ張る場合、掬い板７は両車輪１８、１８によって地面を削り過ぎないように、一定の深さを保ちながら地面上を削りながら進むので、盛り上がった土、砂などは掬い板７上や前に集められる。その量が増えると掬い板７を乗り越え網２上に押し上げられ、本発明１の掬い板７を擦らしながら移動する時の車輪やローラーの振動を利用して、小石・ゴミなどは網２上で振り分けられ濾されて落ちた土、砂は、後方の均しローラー３、或いは均しブラシローラー１３によって、グランド面を綺麗に圧し均す事が出来るものである。
【００２４】
実施の形態の一例として濾し具１の網２は、長さ９９ｃｍ、幅１２ｃｍで線径２ｍｍのステンレスの４メッシュを使用しているが、グランドを調整する時の砂粒の大きさに合わせて網目の粗さを変える事は出来る。両側板４、４と長側板６はステンレスの平板を使用し、車輪１８は直径７５ｍｍのゴム製のものを使用している。均しブラシローラー１３は、太さ０．６ｍｍの波付きの長さ２．５ｃｍのナイロン製のもので、直径５ｃｍの軸に一箇所３８本束ねたものを周回１６箇所に植え、全長は９８ｃｍに８０箇所に植えたのものを使用しているが、他のブラシとしてはシダ毛や金属製でも良い。均しローラー３の全長は９８ｃｍで直径１０ｃｍのものを使用し、材質はゴム、合成樹脂、金属製のパイプなどを使用してその大きさや重量を替えることによって、グランド面を仕上げる状態に応じて使い分けることが出来る。車輪１８の取り付け位置は車輪の跡形が消えるように後部のローラーの両端より内側に取り付ける必要がある。
【００２５】
この本発明１を引っ張る方法としては、図１、２で示すように握り棒２０の先端に取り付けたコ字状横棒を両側板４、４に回動可能にして設けて引っ張る方法と、両側板４、４にパイプ、チェーン、ベルト、紐などを取り付け引っ張る方法などがあり、本発明１の本体の大きさ、形状に応じて選択することが出来る。前部に車輪１８を取り付け後部には均しローラー３、或いは均しブラシローラー１３を取り付けることによって、網２上に乗った土、砂の量で濾し具１が重くなった場合も引っ張る力を軽くし、その重量を利用して地面を綺麗に圧し固めて均すことが出来る。
【００２６】
図３は、図１のＡ−Ａ横断面図を示している。本発明１の掬い板７を平板とした場合は、地面上に密着する面積が大きくなり、地面上の土、砂、小石などを残さず掬うことが出来るので、土、砂の量の少ないグランドでの使用に適している。均しブラシローラー１３は、多少の起伏のある地面もブラシの柔軟性によって地面に密着しソフトに圧し均すことが出来る。また、図４は、図２のＢ−Ｂ横断面図を示している。実施の一例として、本発明１の掬い板７の先端部から前方水平に伸びているか、斜め下方に伸びているか、斜め下方に伸びており且その先端に水平部を有する掬い棒１６を、隣の棒１６と所定の間隔を開けて多数本設けても良い。こうすることにより地面の土、砂、小石などは掘り起こされて柔らかくなり土、砂などを掬い板７上に掬い易くすることが出来る。そして前方に水平部を有する掬い板７を取り付けた場合には、網２の位置を地面より高くすることが出来るので、掬い板７の前面に多量の土、砂を貯め、その土、砂を窪みに埋めながら均すことが出来るので、土、砂の量の多いグランドに適している。
【００２７】
更に実施の一例としては、掬い板７の全面に櫛の歯のように細い溝を設けることで、細かい土、砂を濾すことも出来る。また、両側板４、４と長側板６の変わりに網を使用することで濾す土、砂の量を増やし、網２の位置を地面より高くすることによって、地面との空間に多くの土、砂を落とし、連続して濾し続けることが出来る。そして本発明１を水分量の多い地面で使用した場合は、ブラシやローラーの表面に土、砂などが付着するので、それを防止するために両側板４，４の間にローラーに接近させて、砂落し具２１を取り付けることで解決することが出来る。この砂落し具２１はゴム、合成樹脂や金属の平板や金属製のブラシ状のものなどが良い。
【００２８】
図５は本発明２の実施の形態の一例を示す斜視図である。図６は本発明２の実施の形態の他の例を示す斜視図である。上記濾し具１において、両側板４、４の前方瑞部に、掬い板７の前方まで伸びている両支持板９，９の後方瑞部を取り付け、この両支持板９，９の前方瑞部の間に、回転自在にして軸支させたブラシローラー５、或いは均しローラー３を配設したことで構成されている。
【００２９】
実施の形態の一例として図６で示しているのは、本発明２を引っ張る方法として握り棒２０の先端に取り付けたコ字状横棒を両支持板９、９或いは、ローラー軸などに回動可能にして取り付け握り棒を引っ張る方法があるが、それ以外にベルト、チェーン、パイプ、紐などを両支持板９、９に取り付けて引っ張ることも出来る。図７は、図５のＣ−Ｃ横断面図であり、前部にブラシローラー５を後部に均しブラシローラー１３取り付けたものを示している。また、図８は、図６のＤ−Ｄ横断面図であり、それらは前後には同じ形のローラーを取り付けたものを示しているが、用途に合わせて異なったローラーの組み合わせにすることも出来る。
【００３０】
図８で示すように、前部に均しローラー３を取り付けた形のものは、小石やゴミが無い綺麗なグランドの場合に使用し荒れた地面を圧すための機能強化させて整備することが出来る。また、後部に均しローラー３を取り付けた場合も、表面の柔らかい土、砂を圧し均して平らな地面に整備することが出来る。そして人や自転車で引っ張る時は、小さな直径の軽いローラーを使用し、バイク、自動車で引っ張る時は、大きい直径の重いローラーを使用すると良い。ローラーの種類、重さ、直径の大きさによって、そのスポーツの各種目に適した最適なグランド面に整備することが可能となる。
【００３１】
実施の一例として図９は、本発明２の整備動作の説明図である。本発明２を引っ張ることによって前後のローラーは同時に矢印Ｆ，Ｇの方向に回転し、地面に密着している掬い板１で削った砂１０、小石１１などは、ブラシローラー５に多数植えられたブラシで矢印Ｈの方向に跳ね上げられ網２上で濾された後、矢印Ｉで示すように地面に落ち後部の均しブラシローラー１３で均されている状態を示している。本発明１と同様に本発明２においても、掬い板１の先端部に掬い棒１６を、隣の棒１６と所定の間隔を開けて多数本設け地面を掘り起こすことで掬い板７上に小石などを掬い易くすることも出来る。
【００３２】
グランドの中の水分量によってブラシローラー５や均しローラーの表面に土、砂などが付く場合は、両側板４，４の間に取り付けた砂落し具２１によって削り落とすことが出来る。ブラシローラー５によって跳ね上げられた砂１０、小石１１などは、両側板４，４間に取り付けた飛び出し防止板１２によって、濾し具１内の網２上に全て積もらせることが出来るので、ブラシローラー５の回転を上げて、跳ね上げる土、砂の量を増やすことが出来る。そして網２上に乗った多量の砂、小石などで重くなった濾し具１も前後部に取り付けた均しブラシローラー１３、均しローラー３の回転によって軽く引っ張ることが出来るので、人が走って使用したり自転車、バイク、自動車などで引っ張ることも可能になり、広範囲のグランドの整地作業には特に適しているものである。
【００３３】
スポーツの各種目に適した最適なグランド面に整備するために、掬い板１の削る深さを調整する場合と、グランド整備具を長年使用してブラシやローラーが摩耗してきた場合は、両支持板９、９と両側板４の間を締めている螺子７によって、掬い板１とローラーの位置関係を最良の状態に変更することが出来るが、その他に側板４を掬い板７の前方まで延長して両側板４，４の間にローラーを設けた場合は、側板４の前方瑞部に長穴を縦向けに開けることによってローラーを上下に調整させることも出来る。
【００３４】
実施の形態として、図１０は本発明３の実施の一例を示す斜視図である。平行にした２枚の固定板１４、１４の間に、複数の均しローラー３又は、均しブラシローラー１３を回転自在に軸支させ、少なくとも一つの間にローラーと平行に削り具１５を設けたことで構成されている。
【００３５】
実施の形態の一例として、図１０、１１では削り具１５の中央部に設けた両固定小板２６に支持させた回動軸１９に握り棒２０の先端を回動可能にして取り付け、削り具１５の両端を削り具１５が地面に接しない位置にして両固定板１４に螺子８で固定し、握り棒２０を操作して前後動させて使用した場合、前後の２個のローラーは地面上を回転して圧し固めて均すことが出来ることを示している。固定板１４の螺子８の位置が中央より少し右に寄っているのは、削り具１５を回動させるための軸の位置が回動軸１９とアングルの先端部２５の間に位置するためであり偏心して回動することになるからである。また、図１２では、図１１で固定していた削り具１５の位置を反対側に握り棒２０を回動させて変えた場合を示している。これはアングルの先端部２５で地面上を削れるような位置に削り具１５を両固定板１４，１４に固定して、握り棒２０を操作して前後動させながら使用すると、２本のローラーの間に設けた削り具１５によって地面を均一に削り前後の均しローラー３，３によって削られた土、砂を圧し均すことが出来るものであり、グランド面はコンクリートの舗装面のような状態に仕上げることが出来るものである。削る深さを調整するには、両固定板１４、１４に縦向けに開けた長穴の螺子８で削り具１５を上下させて決定した位置で固定するか、削り具１５のアングルの先端部２５を好みの深さに削れる位置まで回動させて、そこで固定することによって調整することも出来る。握り棒２０自体は回動することが出来るので、このように反転させても何ら問題はない。
【００３６】
実施例では２本のローラーのものを示したが、ローラーの数はもっと増やしても良いし、各ローラーの中間には削り具１５を設けても良い。本発明３を引っ張る別の方法としては、両固定板１４、１４にパイプ、チェーン、ベルトなどを取り付ける方法があり、バイク、自動車で引っ張ることも出来るので、大型のものを製作することも可能である。この削り具１５の形状は断面Ｌ字状を示しているが、平板を立てたものや斜めにしたもの或いは、断面Ｕ字状であっても良く、掬い具１７のようなものなど地面を均一に削れるものであれば良い。また、コートブラシを取り付けても良く、小石やゴミの少ない整備されたグランドでの使用に適している。そして均しブラシローラー１３を取り付けた場合においてもまた、違うローラーの組み合わせをしても同様の性能を発揮することが出来ものである。
【００３７】
実施の形態の一例として、図１３は本発明４の実施の一例を示す斜視図である。底面を長方形の網２とし、この網２の一方の長辺から前方斜めに伸びているか又は、斜め下方に伸びており且その先端に水平部を有する掬い板７を取り付け、他の三辺に側板４、４と長側板６を設け、掬い具１７まで伸びている両支持板９，９の後方瑞部を両側板４、４の前方瑞部に取り付け、両側板４，４の後方瑞部に２個の車輪１８、１８と、両支持板９，９の前方瑞部に２個の車輪２４，２４を回転自在にして軸支させたことで構成されている。
【００３８】
掬い具１７に取り付けられた多数の掬い棒１６をグランドや芝生の中を前進させる場合、掬い棒１６の所定の間隔以内の大きさの土、砂、小石、草などは、地面と補強板２２の間も掬い棒１６の所定間隔以上に開けてあるので、掬い棒１６の間を何の障害も無く通過して、地面上に落ちている所定の間隔以上の大きさの枯葉、小枝、ゴミ、小石や地面に半分埋もれている小石などを掬い具１７で掬われ網２上に押し上げられる。三辺側面に囲い網２３を設けることで多量のものを集めることが出来る。また、掬い棒１６の別の形態としては、櫛の歯のような形の平板を多数本配置させた掬い具１７でも良い。そして様々な場所のグランドや芝生の中の状態に合わせて、最も掬い具１７を掬い集め易い深さにするためには、支持板１７と側板４を止めている螺子８で車輪１８の高さを調整することによって出来る。また、その他に側板４を掬い具１７の上方まで延長して両側板４，４の間に車輪２４を設けた場合は、側板４の前方瑞部に長穴を縦向けに開けることによって車輪２４を上下に調整させることも出来る。
【００３９】
実施の形態の一例として本発明４を使用する方法としては、握り棒の先端に取り付けたコ字状横棒を両側板４、４或いは、両支持板９，９や両側板４、４に回動可能にして設けて引っ張る方法又は、パイプ、チェーン、ベルトなどを両側板４、４或いは、両支持板９、９に取り付けて人、自転車、バイクで引っ張ることも来るので、簡単に誰にでもグランドや草地の掃除をすることが出来るものである。手動式のものとしては単純な構造になっているので、安価に作ることも出来る。また、本発明４の幅広い大型のものは、救い具１７の中央部前方に車輪２４を追加して取り付け製作することが出来るので、バイク、自動車に設置してスピードを上げて使用することで、ゴルフ場、サッカー場、野球場など広範囲の掃除を効率良く出来るものである。
【００４０】
請求項４で言う、掬い具１７まで伸びている意味とは、図１４の図１３のＫ−Ｋ横断面図で示しているように、車輪２４の位置を掬い具１７の上部あたりに設けることを指している。また、支持板９と側板４は螺子９によって取り付けてあるが、側板４を掬い具１７上部まで延長して車輪２４を設けることも出来る。この場合は、前方側板４の瑞部に長穴を縦向けに開けて車輪２４を上下の位置に調整させることも出来る。
【００４１】
実施の形態の一例として、図１５は本発明５の斜視図を示している。本発明５は、細長い均し具３２の長手方向中央部に握り棒２０の先端を取り付け、均し具３２の両端に握り棒２０と平行にして、外側上端部に突起状ストッパー３０を取り付けた固定側板３１，３１を設け、この両固定側板３１，３１と平行にして設けた２枚の固定板１４，１４の一方瑞部の間に、上記固定側板３１、３１を介して均し具３２を回動可能にして軸支させ、上記２枚の固定板１４，１４の他方端部の間に、均しローラー３を回転自在にして軸支させたことで構成されている。
【００４２】
本発明５の握り棒２０を持ち地面上を均し具３２で前後動させたり、引っ張りながら歩き回ることにより、荒れたり盛り上がった場所の土、砂は削られながら柔らかく広げられるが、均し具３２に接近させて取り付けてある均しローラー３は、固定板１４によって連動して回転しているので、その重量によって地面を圧し均すことが出来るものである。
【００４３】
実施の形態の一例として、本発明５の均し具３２はアングルを使用している。両端に取り付けた固定側板３１には回動軸１９又は軸穴が設けてあり、固定側板３１の形状は重い均しローラー３を軸支させた固定板１４を止めるための突起状ストッパー３０を取り付けるためには長方形のものが良い。固定側板３１の外側上端部に設けたストッパーの厚みは、固定板１４と同じ厚みのものである。図面の形状では台形をしているが、丸でも四角でも良い。均し具３２に中実体の角材のように端面のあるものを使用した場合には、突起状ストッパー３０と回動軸１９又は軸穴を設けた長方形の固定側板３１を取り付け、固定板１４と回動可能に軸支出来るようにしなければならない。また、均し具３２に中空体のように端面の無いものを使用した場合も、同様に突起状ストッパー３０と回動軸１９又は軸穴を設けた固定側板３１を取り付ける必要がある。
【００４４】
本発明５の実施形態の一例として図１６では、L字形の形状をしたアングルの均し具３２を使用しているので、前後動がし易く地表面を薄く均して使用できることを示している。そして本発明５の握り棒２０を持ち上げて図１６の矢印の方向に均し具３２を反転させた場合、図１７で示しているように突起状ストッパー３０で止めることにより、均し具３２は地面から浮いた状態になるので、均しローラー３だけでグランドを均すこともできる。また、実施の形態の一例として図１８は、地表面をアングルの先端部２５で強く削っている状態を示している。均し具３２をこの状態にして図１８の矢印の方向に均しローラー３を反転させて突起状ストッパー３０で止めた場合、図１９で示すような状態となり、均しローラー３全体の重量を均し具３２に乗せることができる。これは乾燥した固い地面やひどく荒れている場所などを均し易くすることが出来る。また、突起状ストッパー３０は一定の位置に固定して使用することもできる。このように均し具３２と均しローラー３の使用方法を変えることによって様々な地面の状態に合わせて本発明５を使用して地面を均すことができるものである。
【００４５】
均し具３２の材質は鉄、ステンレス、木の角材、樹脂、アルミなどで製作することが出来る。均し具３２の別の形状としては、熊手のようなものや鋸刃のようなものや固いブラシを取り付けることも出来る。均しローラー３は直径５センチメートル、長さ１メートルあり、材質は鉄、ステンレス、樹脂などが良い。重さは２キログラムあるが、使用条件によって長さや重さは変えて製作することも出来る。
【００４６】
実施の形態の一例として、図２０は本発明６の実施の一例を示す斜視図である。本発明６は、長方形の天板２８の下面にはブラシ２７、上面にはブラシ２７か均し具３２又は、溝付き掬い具３３の何れか一つ又は二つを取り付け、上記天板２８の両側面又は側面に取り付けた両側板４，４に、固定板１４，１４の一方端部を回動可能にして設け、その固定板１４，１４の他方端部の間に、均しローラー３を回転自在にして軸支させたことで構成されている。
【００４７】
実施の形態の一例として、長方形の天板の下面に設けたブラシ２７の大きさは幅１ｍ５０ｃｍ、奥行１５ｃｍ、長さは２ｃｍである。前面に削り板２９を取り付け握り棒２０或いは、紐用穴３４に紐を取り付け引っ張って地面を擦らせて行く場合、地面を削って削り板２９の前面に土、砂が盛り上がり地面との隙間が無くなるので、その場所に土、砂、小石、ゴミなどは溜められるが、徐々に細かいものは削り板２９の下を潜っていくことになる。そして削り具２９の下を潜れない比較的大きい小石、ゴミはその場所に残されるので取り除くことが出来る。また削り板２９を潜ってブラシ２７の中に入った小石、ゴミ、枯葉などはブラシの毛の間に挟まるものは引き摺ってグランドの端まで運んで除去することも出来る。ブラシ２７が通リ過ぎた地面は、固定板１４によって回動自在に動く均しローラー３の回転によって綺麗に均すことが出来る。また、図２０の矢印の方向に均しローラー３を反転させた場合、図２１で示すように天板２８上に均しローラー３が乗り、その重さがブラシ２７に加わることによって地面をより強く掃きながら均すことができるものである。
【００４８】
実施の形態の一例として、図２２は図２０で示している天板２８の下面に取り付けたブラシ２７を反転させた状態を示している。均し具３２を天板２８の前部に取り付け、天板２８の後部には掬い板面を水平にした溝付き掬い具３３を設けたことで、前部の均し具３２で地面を削りながら均した後、後部の溝付き掬い具３３の溝幅より大きい小石、ゴミなどを掬い上げて溜めることができるので、グランドに点在する小石、ゴミを効率良く取り除くことが出来る。そして、その地面は両固定板１４に回動可能にした均しローラー３によって圧し均すことができる。図２２の矢印の方向に均しローラー３を反転させてブラシ２７上に乗せた場合は、その重量が加わり強く削りながら深く掬い上げることが出来る。このようにして本発明６は、一台で二種類の作業をすることが出来る整備具である。
【００４９】
本発明６のブラシ２７の材質は、ポリエチレン製人口芝を天板２８に張り付けたものを使用しているが、天板２８にナイロン製の毛、其の他合成樹脂製の毛や金属製の毛を植え込んだものでも良い。均し具３２としてはアングル、底面が平面になったものに多数の突起物を並べて取り付けたもの、木の角材、人口木材の角材、金属製角パイプ、熊手状のもの、固いブラシ、ゴム、合成樹脂などで製作できる。溝付き掬い具３３としては、アングルに細長い溝を多数設けたもの、長孔のパンチング、エキスパンドメタルなどがあり、材質はステンレス、鉄の金属製で摩耗し難いものが適している。天板２８の材質は、ゴムチップを固めたもの、人口木材、樹脂、アルミ板、鉄板、ステンレスなどが適している。また、削り板２９の材質は、ゴム、天然木、樹脂などブラシ２７と同時に摩耗するものをが良い。野球、テニス、サッカーなど競技種目によってグランドの整備の状態が異なるので、本発明６はその競技に応じた材質を使用してその競技に合ったサイズの整備具を製作することが出来るものである。
【００５０】
尚、実験結果では、本発明１，２は地面が晴天続きの乾燥したサラサラの砂の状態の時は、細かい網目を使用して濾しながら均すことが出来た。また、人、自転車、バイク、自動車などによって本発明２を引っ張った場合、速く濾して綺麗に均すことも出来たが、水分を含んだ地面の状態で本発明１、２を引っ張った場合、土、砂、小石などは濾され難くいが、網２上に積み上げられた土、砂の重量によって、水平に取り付けられた掬い板１は地面に圧し付けられても、前後に取り付けた車輪１８やローラーの回転によって引っ張り易く綺麗に平坦に均すことが出来た。本発明３は、地面の水分量に関係なく窪んだ部分の周りの土、砂も集めて地面を圧し固めて綺麗に平らにすることが出来た。また、本発明４は、広範囲のグランドに散らばっている半分埋まっている石やサッカー場や野球場の外野などの芝生上の小枝、枯葉、ゴミなどを効率良く掬い集めることが出来た。本発明５は、グランドの荒れた場所の土、砂を圧し固めたり、盛り上がった固い土を削って均したり、土、砂を掻き集めて窪みを埋めて固い平坦な地面にすることが出来た。本発明６は、ブラシ２７を取り付けた片面で掃き均した後、均しローラー３で圧し均して簡単に綺麗なグランドに整備することが出来る。また他方片面では溝付き掬い具３３によって比較的大きい小石、ゴミなどを掬って溜めて取り除くことが出来た。
【００５１】
【発明の効果】
本発明１によれば、日常的に使用することによって今までグランドで拾われなかったものや、競技中にスパイク、運動靴などによって荒らされ地中から出て来た小石・ゴミなどものが除去されるようになり、自然にグランドの土質が安全な細かな砂粒に変換されて、グランドの窪んだ場所も平らに均されてくる。このことは競技中に思い切ったプレーが出来ることになりグランドでの怪我も少なくなった。
【００５２】
本発明２によれば、全て生じると共に、人が走ったり自転車、バイク、自動車などで引っ張ることによって、広範囲のグランド整備を短縮して綺麗に行うことが出来るものである。
【００５３】
本発明３によれば、小石、ゴミの無い綺麗なグランドにおいて、人が圧しながら前後動させることにより、グランド使用後の柔らかくなった地面を圧し固めながら整備出来るものであり、また、地面を削りながら窪んだ場所を埋めつつ地面を硬く平らな面に直すことが出来るものである。更に、大型のものをバイク、自動車などで引っ張ることによって、広範囲のグランド整備を短縮して綺麗に行うことが出来るものである。
【００５４】
本発明４によれば、野球場やサッカー場やゴルフ場などの広範囲の芝生上に乗っているゴミ、枯葉、小枝やグランド上に散らばっている石などを掬い集めることが出来る。また、大型のものを自転車、バイク、自動車などで引っ張ることによって、グランド掃除を簡単に時間を短縮して行えるものである。
【００５５】
本発明５によれば、グランドの荒れた場所の土、砂を圧し固めたり、盛り上がった固い土を削って均したり、土、砂を掻き集めて窪みを埋めて固い平坦な地面にすることが出来るものである。
【００５６】
本発明６によれば、ブラシ２７を取り付けた片面で土、砂、小石、ゴミ、小枝などを押さえて引き摺りながら掃き均した後、均しローラー３で圧し均すことが出来るので、簡単に綺麗なグランドに整備することが出来る。また本発明６の上下を反転させた他方片面では溝付き掬い具３３によって比較的大きい小石、ゴミなどを掬って溜めて取り除くことが出来るものである。
【図面の簡単な説明】
【図１】本発明１の実施の形態の一例を示す斜視図である。
【図２】本発明１の実施の形態の他の例を示す斜視図である。
【図３】図１のＡ−Ａ横断面図である。
【図４】図２のＢ−Ｂ横断面図である。
【図５】本発明２の実施の形態の一例を示す斜視図である。
【図６】本発明２の実施の形態の他の例を示す斜視図である。
【図７】図５のＣ−Ｃ横断面図である。
【図８】図６のＤ−Ｄ横断面図である。
【図９】本発明２の整備動作の説明図である。
【図１０】本発明３の実施の形態の一例を示す斜視図である。
【図１１】本発明３の整備動作の説明図である。
【図１２】本発明３の他の整備動作の説明図である。
【図１３】本発明４の実施の形態の一例を示す斜視図である。
【図１４】図１３のＫ−Ｋ横断面図である。
【図１５】本発明５の実施の形態の一例を示す斜視図である。
【図１６】本発明５のの整備動作の説明図である。
【図１７】本発明５のの整備動作の説明図である。
【図１８】本発明５のの整備動作の説明図である。
【図１９】本発明５のの整備動作の説明図である。
【図２０】本発明６の実施の形態の一例を示す斜視図である。
【図２１】本発明６の整備動作の説明図である。
【図２２】本発明６の整備動作の説明図である。
【図２３】本発明６の整備動作の説明図である。
【符号の説明】
１    濾し具
２    網
３    均しローラー
４    側板
５    ブラシローラー
６    長側板
７    掬い板
８    螺子
９    支持板
１０  砂
１１  小石
１２  飛び出し防止板
１３  均しブラシローラー
１４  固定板
１５  削り具
１６  掬い棒
１７  掬い具
１８  車輪
１９  回動軸
２０  握り棒
２１  砂落し具
２２  補強板
２３  囲い網
２４  車輪
２５  アングルの先端部
２６  固定小板
２７  ブラシ
２８  天板
２９  削り板
３０  突起状ストッパー
３１  固定側板
３２  均し具
３３  溝付き掬い具
３４  紐用穴
【図１】
0003683884.tif 000002
【図２】
0003683884.tif 000003
【図３】
0003683884.tif 000004
【図４】
0003683884.tif 000005
【図５】
0003683884.tif 000006
【図６】
0003683884.tif 000007
【図７】
0003683884.tif 000008
【図８】
0003683884.tif 000009
【図９】
0003683884.tif 000010
【図１０】
0003683884.tif 000011
【図１１】
0003683884.tif 000012
【図１２】
0003683884.tif 000013
【図１３】
0003683884.tif 000014
【図１４】
0003683884.tif 000015
【図１５】
0003683884.tif 000016
【図１６】
0003683884.tif 000017
【図１７】
0003683884.tif 000018
【図１８】
0003683884.tif 000019
【図１９】
0003683884.tif 000020
【図２０】
0003683884.tif 000021
【図２１】
0003683884.tif 000022
【図２２】
0003683884.tif 000023
【図２３】
0003683884.tif 000024